(57)【要約】【課題】作業性がよく、また安価なケーブル識別具を提供する。【解決手段】ヒンジ部で連設された２つのプレートの少なくとも一方のプレートに溝を設け、その溝に取り付けるケーブル入れ、二つのプレートを係止部で係止して嵌合させて取り付ける。溝にはスプリング機能をもつバネ帯を設けるとさらによい。ケーブル識別具を連結したシート状に製作する。【選択図】  図４
2005085620.tif 000002
【特許請求の範囲】
【請求項１】
矩形または楕円形状の平坦な２枚のプレートの１辺が薄肉のヒンジ部を介して連設され、
少なくとも一つの前記プレートの一面にケーブルが挿入される溝が長手方向に設けられ、
前記２枚のプレートの対向する位置に二つのプレートをケーブルを挟み込んだときに係止させる係止部が設けられた
ことを特徴とするケーブル識別具。
【請求項２】
前記プレートの溝には、溝の中央部が梁として残され、溝の長手方向にコ字状に切り欠き、中央残部を支点として端部が溝より浮き上がった形になるように傾斜を持った弾性ある切片形状が形成された
請求項１記載のケーブル識別具。
【請求項３】
一方のプレートのケーブルを挟み込む面には複数の突起が設けられ、他方のプレートの前記突起に対応する位置には前記突起が嵌まる複数の穴が設けられ、
前記突起が設けられたプレートの他方の面にケーブルを識別する表示が施された
請求項１または２記載のケーブル識別具。
【請求項４】
合成樹脂製の請求項１ないし３のいずれか記載のケーブル識別具が、ヒンジ部を介して連設された二つのプレートが開いた状態で他のケーブル識別具との間が上下左右が切り離し可能な連結部で多数縦横に連結されたケーブル識別具の連結体。
【発明の詳細な説明】
【技術分野】
【０００１】
本発明、通信用ケーブル、光ファイバケーブルなどに取付け、これらを識別するタグと称されるケーブル識別具に関する。本発明は、加入者線のケーブルを集線する局舎内のＭＤＦ（主配線盤）あるいは集合住宅などに設けられるＭＤＦ、あるいは電柱に設けられる回線収容ボックスなど、多数のケーブルを収容する箇所でケーブルを識別するために用いられるケーブル識別具に関する。本発明は、特に銅線、光ファイバケーブルに取り付けて使用するのに適する。
【背景技術】
【０００２】
銅線などのメタルケーブルでは、被覆樹脂コードによる色識別が可能であり、通電によって識別することが可能であるため、特に重要回線以外は識別のためのタグを取り付けることは少なかった。また、多数の回線が収容される局舎内のＭＤＦに集線作業を行う場合には、ケーブルを識別し、誤り接続を防止するためにタグを取付けて集線作業を行っていた。
【０００３】
これらのタグとしては、薄肉チューブにナンバーを印字し所定の長さにカットしたものをコードに通しておくタイプや、コードの先端にコネクタがついたパッチコードを製作するときに、あらかじめ線に通しておくタイプなどがあり、このようなタイプは取り外しや取付けが難しく、作業性がよくない問題があった。また、荷札式の紐付きナンバータグのタイプもあったが、光ファイバケーブルに使用するには作業性がよくなく、また光ファイバケーブルに対する接触ダメージの問題があった。
【０００４】
そこで、出願人の一部は、光ファイバケーブルを識別するためのタグとして、簡単に取付けられ、また光ファイバケーブルに大きな応力が発生することがないケーブル識別具を特許文献１として提案した。
【０００５】
【特許文献１】特開２００３−１４１９４１
【発明の開示】
【発明が解決しようとする課題】
【０００６】
上記特許文献１として提案した光ファイバケーブル用のケーブル識別具は、作業性がよいが、構造的に一つの材料で製作することが難しく、安価に製造することができない問題がある。また、どちらかというと局舎内のＭＤＦでの集線配線作業を考慮したケーブル識別具であるため、電話線収容ボックスなど、戸外で使用するに適しない場合があった。
【０００７】
本発明は上述の問題を解決するもので、射出成形によって多数のケーブル識別具を一度に製造できる安価なケーブル識別具を提供することを目的とする。また、本発明は、二つのプレートの間にケーブルを挟み込んで留めることで、簡単にケーブルに取り付けることができ作業性を向上したケーブル識別具を提供することを目的とする。また、本発明は、光ファイバケーブルに大きな応力を生じさせず、光ファイバケーブルの識別に適するケーブル識別具を提供することを目的とする。
【課題を解決するための手段】
【０００８】
本発明は薄肉のヒンジ部で連設された２枚のプレートからなるケーブル識別具である。２枚のプレートでケーブルを挟み込むことでケーブルに取り付ける。プレートの少なくとも一方には、ケーブルが挿入される溝が設けられ、この溝にケーブルを挿入して二つのプレートで挟み込んでケーブル識別具をケーブルに取り付ける。プレートのケーブルを挟み込む面（内側）には、二つのプレートを係止する係止構造が設けられ、例えば複数の突起とこの突起が嵌まり込む穴とが設けられ、二つのプレートはケーブルを挟み込んで嵌め合うことでケーブルに取付けられる。一方のプレートの表面は平坦であり、ここにケーブルを識別するための番号、符号を印刷あるいは印字し、また、バーコードなどを印刷できる。また、番号、符号、バーコードが印刷されたものを貼付することが可能である。
【０００９】
さらに、溝内にはスプリング構造を作り、ケーブルを保持支持することも可能である。また、２枚のプレートを展開した形で複数のケーブル識別具を引きちぎって切り離し可能な連結部で複数列および複数行連結した連結体を射出成形により一体で成形することが可能である。この構造により多数のケーブル識別具を一体成形できるため、安価な製造が可能である。
【００１０】
すなわち、本発明は、矩形または楕円形状の平坦な２枚のプレートの１辺が薄肉のヒンジ部を介して連設され、少なくとも一つの前記プレートの一面にケーブルが挿入される溝が長手方向に設けられ、前記２枚のプレートの対向する位置に二つのプレートをケーブルを挟み込んだときに係止させる係止部が設けられたことを特徴とする。
【００１１】
なお、前記プレートの溝には、溝の中央部が梁として残され、溝の長手方向にコ字状に切り欠き、中央残部を支点として端部が溝より浮き上がった形になるように傾斜を持った弾性ある切片形状が形成されたことがよい。
【００１２】
また、一方のプレートのケーブルを挟み込む面には複数の突起が設けられ、他方のプレートの前記突起に対応する位置には前記突起が嵌まる複数の穴が設けられ、前記突起が設けられたプレートの表面にケーブルを識別する表示が施されることができる。
【００１３】
さらに、ケーブル識別具が、ヒンジ部を介して連設された二つのプレートが開いた状態で他のケーブル識別具との間とが上下左右が切り離し可能な連結部で多数縦横に連結されたことがよい。
【発明の効果】
【００１４】
本発明により作業性に優れ、薄型で安価なケーブル識別具を提供することができる。また、作業現場で、連結体からケーブル識別具を引きちぎってケーブルに取付けることができ、ケーブルに取り付ける作業も容易である。また、一つの材質から作ることができるため、リサイクルも可能であり環境を考慮した製品を提供できる。
【発明を実施するための最良の形態】
【００１５】
以下図面を参照して本発明の実施の形態を説明する。
【００１６】
（第一実施例）
図１ないし図４は、本発明の第一実施例のケーブル識別具を説明する図面である。図１は、ケーブル識別具を開いた状態を説明する図であり、図１（ａ）は開いた状態を示す図、（ｂ）は開いた状態を横から見た図、（ｃ）は断面を示す図である。また図２は、ケーブルを挿入して取付ける状態を説明する図であり、図２（ａ）は開いた状態でケーブルを挿入した状態を示す図、（ｂ）は、ケーブルを挟み込み、表面にケーブルのナンバーを記載した状態を示す図である。図３はケーブル識別具の断面を開いた状態からケーブルを挟んでケーブルに取り付けた状態への変化を説明する図である。図４は、ケーブル識別具を開けた状態からケーブルに取付けた状態を示す斜視図である。
【００１７】
この実施例のケーブル識別具は、矩形の端部が円弧状になった長円状の平坦なプレート１、２の長手方向が薄肉のヒンジ部３により連設された構造であり、このプレート１、２の長さは、例えば２５．０ｍｍ、幅が１６．４ｍｍ（ヒンジ部を含む２つのプレートの幅で、ヒンジ部はほぼ２．４ｍｍ）で、厚さが１．０ｍｍで形成されている。一方のプレート１の内側には、ケーブル４を挿入する溝２１がその長手方向に設けられている。この溝２１は、挿入するケーブルの幅に対応させた幅であり、１．５ｍｍの幅で形成され、深さは０．５ｍｍである。この幅１．５ｍｍは、４心テープ心線に取り付けるケーブル識別具の場合の例であり、４本の光ファイバを横に並べた４心テープ心線の外径が０．４×１．１ｍｍに対応したものである。
【００１８】
プレート１と２のケーブルを挟み込む内側には、プレート１と２とを嵌め合わせる複数の小突起とこの小突起が嵌め込まれる穴が形成されている。小突起は、ケーブルの番号などが表示されるプレート２側に２ａ、２ｂ、２ｃ、２ｄの４つが設けられ、プレート１側には、対応して１ａ、１ｂ、１ｃ、１ｄの穴が４つが設けられる。
【００１９】
図２および３は、ケーブル４にこのケーブル識別具を取り付ける取付け方法を説明する図であり、溝２１にケーブル４を挿入し、プレート１をプレート２に押しつけ、プレート２の小突起２ａ〜２ｄをプレート１の穴１ａ〜１ｄｅに挿入させて固定する。
【００２０】
このケーブルへの取付け状態を図４に斜視図として示す。
【００２１】
なお、上記識別具の長さ、幅、厚さならびに溝の幅、深さは、使用するケーブルによってそれぞれ自由に決定でき、例えば２心テープ心線に使用するのであれば、その外径は０．４×０．６ｍｍであるから、溝の幅は、０．８〜１．０ｍｍ程度としてよい。また、ＵＶ心線のように外径が２５．０ｍｍもある心線の場合には、プレート２だけでなくプレート１にも溝を設けることがよく、その形状も断面がケーブルの断面に合わせて円弧状の溝にすることができる。さらに銅線などのメタル線に使用する場合にも同様に、線の被覆の太さに合わせた溝の形状とすることができる。
【００２２】
本実施例のケーブル識別具は、ポリプロピレンあるいは熱可塑性エラストマーなど比較的弾性のある合成樹脂製であり、プレート２の表面にケーブルを識別するナンバーあるいは符号を印字できる材料を用いる。
【００２３】
（第二実施例）
第二実施例は、異なる外径のケーブルであっても取付け使用できるようにケーブルの保持機構にスプリング機能をもたせた実施例である。
【００２４】
図５に示されるようにプレート１、２の双方に溝１１、２１が設けられており、溝１１には中央部１２を除いてコ字状の切り欠き１３が設けられ、中央部１２は梁となり、切り欠き１３によって形成された矩形の切片１４は、その端部が中央部１２を支点として溝より飛び出した形に傾斜して形成されている。そしてこの切片１４は、図５（ｄ）に示されるように挿入されるケーブルを押し上げて保持できるようにスプリング効果あるバネ帯として機能する。
【００２５】
図６は、ケーブル４にケーブル識別具を取り付ける様子を説明する図であり、図７は、それを示す斜視図である。
【００２６】
本実施例では、溝１１内にバネ帯が設けられているので、弾性力によりケーブル４を保持できるため、径が異なるケーブルに同一のケーブル識別具を取り付け使用することができ、異なる径のケーブルを同時に接続して使用するような作業場所でケーブルを識別する場合に便利である。
【００２７】
（第三実施例）
図８は、第一実施例、第二実施例のケーブル識別具を個々に分離する前の状態を示す図である。
【００２８】
ヒンジ部３を介してプレート１、２を開いた状態で、複数のケーブル識別具を複数列×複数行連結して射出成形により成形する。この成形は、例えば１０×２列、１０×４列というように多数個を一度につくり、上下左右のケーブル識別具の間は、手で引きちぎることができる程度の小連結部６で連結しておく。ケーブル識別具の識別符号を表示するプレートの表面には、手書き、インクジェットプリンタなどにより、ケーブルを識別する番号、符号、あるいはバーコードを印字できる。また、印字あるいは印刷された番号、符号、バーコードが印刷された接着紙を貼付してもよい。
【００２９】
作業時には、このシート状のケーブル識別具を取り出し、一つ一つのケーブル識別具を小連結部を引きちぎってシートから外し、溝にケーブルをあててプレートを挟み込んでケーブルに取り付けるようにする。これにより個々のケーブル識別具を取り出してケーブルに取り付けるのではなく、シート状のケーブル識別具を保持してそこから外して取り付けることができるため、作業性効率を向上させることができる。また、あらかじめプレートに番号など印字あるいは貼付しておくことができるため、番号順にケーブルに取り付ける作業を行うことが可能である。
【００３０】
なお、上記実施例では、ケーブルの識別のための番号、符号を手書きする、あるいは印字するとの説明を行ったが、識別符号としてバーコードのような識別模様を使用してもよく、また印字するのではなく、プレートの大きさのタックにあらかじめ番号、符号あるいはバーコードが印刷されたタックを離型紙から剥がして貼付して使用することも当然可能である。
【００３１】
また、二つのプレートの係止構造として、一方のプレートの面に設けられた複数の突起と他方のプレートの面に設けられたこの突起が嵌まる穴とによる構造で説明したが、二つのプレートが嵌まり合って係止される構造であればよい。
【００３２】
また、プレートの形状は、端部が円弧状となった長円形状のものであったが、端部が直線状の矩形形状でもよく、また楕円形状でもよい。
【産業上の利用可能性】
【００３３】
本発明は、通信用あるいは電源用などのメタル線あるいは光ファイバケーブルなどの識別のために使用されるいわゆるタグとして作業し易さ、コストの点で利点があり、特に通信用加入者線で使用する場合に効用が大きい。
【図面の簡単な説明】
【００３４】
【図１】本発明第一実施例のケーブル識別具の形状の説明する図。
【図２】第一実施例でのケーブルへの取付けを説明する図。
【図３】第一実施例のケーブル識別具の断面を説明する図。
【図４】第一実施例のケーブルへの取付けを説明する斜視図。
【図５】本発明第二実施例のケーブル識別具の形状の説明する図。
【図６】第二実施例でのケーブルへの取付けを説明する図。
【図７】第一実施例のケーブルへの取付けを説明する斜視図。
【図８】第三実施例を説明する図。
【符号の説明】
【００３５】
１、２  プレート
３  ヒンジ部
４  ケーブル
５  小連結部
１１、２１  溝
１ａ〜１ｄ  穴
２ａ〜２ｄ  突起
【図１】
2005085620.tif 000003
【図２】
2005085620.tif 000004
【図３】
2005085620.tif 000005
【図４】
2005085620.tif 000006
【図５】
2005085620.tif 000007
【図６】
2005085620.tif 000008
【図７】
2005085620.tif 000009
【図８】
2005085620.tif 000010